(57)【要約】【課題】  突然の通信切断の理由を当事者であるユーザが、簡単な構成で知ることができる移動通信システムを提供する。【解決手段】  携帯通信端末同士が基地局を介して通信をなす移動通信システムであって、携帯通信端末の各々は、周囲の電界強度を測定する電界強度測定部２０１と、この測定結果を基地局へ送信する送信部２０２とを含み、基地局１は、通信が突然に切断された時、測定結果を参照して通信の切断理由を判定する通信断判定部１０１と、この判定結果を携帯通信端末へ告知する告知部１０２とを含むことを特徴とする。【選択図】      図２
2009118200.tif 000002
【特許請求の範囲】
【請求項１】
携帯通信端末同士が基地局を介して通信をなす移動通信システムであって、
前記携帯通信端末の各々は、周囲の電界強度を測定する手段と、この測定結果を前記基地局へ送信する手段とを含み、
前記基地局は、前記通信が突然に切断された時、前記測定結果を参照して前記通信の切断理由を判定する判定手段と、この判定結果を前記携帯通信端末へ告知する告知手段とを含むことを特徴とするシステム。
【請求項２】
前記告知手段は、ショートメッセージサービスによる告知であることを特徴とする請求項１記載のシステム。
【請求項３】
前記携帯通信端末は、前記告知手段による告知情報を可視表示する手段を、更に含むことを特徴とする請求項１または２記載のシステム。
【請求項４】
前記携帯通信端末は、バッテリー残量の低下を示すアラームを生成して前記基地局へ送信する手段を、更に含むことを特徴とする請求項１〜３いずれか記載のシステム。
【請求項５】
前記判定手段は、前記測定結果に加えて前記アラームをも参照して前記通信の切断理由を判定することを特徴とする請求項１〜４いずれか記載のシステム。
【請求項６】
携帯通信端末同士が基地局を介して通信をなす移動通信システムにおける通信断理由告知方法であって、
前記携帯通信端末の各々において、周囲の電界強度を測定するステップと、この測定結果を前記基地局へ送信するステップとを含み、
前記基地局においては、前記通信が突然に切断された時、前記測定結果を参照して前記通信の切断理由を判定する判定ステップと、この判定結果を前記携帯通信端末へ告知する告知ステップとを含むことを特徴とする方法。
【請求項７】
前記告知ステップは、ショートメッセージサービスによる告知であることを特徴とする請求項６記載の方法。
【請求項８】
前記携帯通信端末において、前記告知ステップによる告知情報を可視表示するステップを、更に含むことを特徴とする請求項６または７記載の方法。
【請求項９】
前記携帯通信端末において、バッテリー残量の低下を示すアラームを生成して前記基地局へ送信するステップを、更に含むことを特徴とする請求項６〜８いずれか記載の方法。
【請求項１０】
前記判定ステップは、前記測定結果に加えて前記アラームをも参照して前記通信の切断理由を判定することを特徴とする請求項６〜９いずれか記載の方法。
【請求項１１】
基地局を介して他の携帯通信端末と通信をなす携帯通信端末であって、
他の携帯通信端末との通信中に周辺の電界強度を測定する手段と、この測定結果を前記基地局へ送信する手段と、前記基地局において前記測定結果を元に判定された通信中断理由を告知する告知情報を受信して表示する表示手段とを含むことを特徴とする端末。
【請求項１２】
前記表示手段は、前記他の携帯通信端末の前記測定結果を前記基地局から受信して表示することを特徴とする請求項１１記載の端末。
【請求項１３】
バッテリーの残量が低下したことを示すアラームを発生して前記基地局へ送信する手段を、更に含むことを特徴とする請求項１１または１２記載の端末。
【請求項１４】
一の携帯通信端末と他の携帯通信端末との通信接続をなす基地局であって、
前記携帯通信端末の各々からの電界強度情報を受信して記録する手段と、
前記通信が突然に切断された時、前記電界強度情報を参照して前記通信の切断理由を判定する判定手段と、この判定結果を前記携帯通信端末へ告知する告知手段とを含むことを特徴とする基地局。
【請求項１５】
前記告知手段は、ショートメッセージサービスによる告知であることを特徴とする請求項１４記載の基地局。
【請求項１６】
前記判定手段は、前記電界強度情報に加えて、前記携帯通信端末からのバッテリー残量低下を示すアラームをも参照して前記通信の切断理由を判定することを特徴とする請求項１４または１５いずれか記載の基地局。
【発明の詳細な説明】
【技術分野】
【０００１】
本発明は移動通信システム及び通信断理由告知方法、それに用いる携帯通信端末及び基地局に関し、特に携帯通信端末同士の通信中に突然通信断となった場合に、その通信断理由を判定して携帯通信端末へ告知するための通信断理由告知方式に関するものである。
【背景技術】
【０００２】
近年、携帯電話機などの携帯通信端末（以下、単に端末と称す）の普及により、移動通信が広く利用されている。移動通信システムにおいては、電波を利用して無線回線を確立しているために、有線回線を利用した通信に比較すると、端末と基地間との間の無線回線が確立できず接続できなかったり、接続後の通信中であっても、無線回線の確立ができなくなる。その結果、回線断による通信切断となる可能性が非常に高くなる。この様に、通信中における突然の通信切断が生じた場合、ユーザはその切断理由を判別して突然の状況変化に対応できることが要求される。
【０００３】
ここで、特許文献１を参照すると、移動通信における異常切断の発生時に、端末に対して異常発生場所や発生状況のアンケート調査を行い、ユーザからの回答を解析することにより、自動的に切断原因などを把握可能として、保守担当者に対する利便性を高めた技術が開示されている。
【０００４】
【特許文献１】特開２００４−２４２２５９号公報
【発明の開示】
【発明が解決しようとする課題】
【０００５】
上述した特許文献１の技術では、突然の通信切断の理由を、保守担当者が知ることはできるが、通信中のユーザ自身が知ることはできないという問題がある。また、特許文献１では、異常発生場所やその状況を把握するために、コアネットワーク側に、保守情報管理のためのサーバや、異常切断呼調査のためのサーバが必要であり、ハードウェアが増大するという問題もある。
【０００６】
本発明の目的は、突然の通信切断の理由を当事者であるユーザが、簡単な構成で知ることができる移動通信システム及び通信切断理由告知方法、それに用いる基地局及び通信端末を提供することである。
【課題を解決するための手段】
【０００７】
本発明による移動通信システムは、携帯通信端末同士が基地局を介して通信をなす移動通信システムであって、前記携帯通信端末の各々は、周囲の電界強度を測定する手段と、この測定結果を前記基地局へ送信する手段とを含み、前記基地局は、前記通信が突然に切断された時、前記測定結果を参照して前記通信の切断理由を判定する判定手段と、この判定結果を前記携帯通信端末へ告知する告知手段とを含むことを特徴とする。
【０００８】
本発明による通信断理由告知方法は、携帯通信端末同士が基地局を介して通信をなす移動通信システムにおける通信断理由告知方法であって、前記携帯通信端末の各々において、周囲の電界強度を測定するステップと、この測定結果を前記基地局へ送信するステップとを含み、前記基地局においては、前記通信が突然に切断された時、前記測定結果を参照して前記通信の切断理由を判定する判定ステップと、この判定結果を前記携帯通信端末へ告知する告知ステップとを含むことを特徴とする。
【０００９】
本発明による携帯通信端末は、基地局を介して他の携帯通信端末と通信をなす携帯通信端末であって、他の携帯通信端末との通信中に周辺の電界強度を測定する手段と、この測定結果を前記基地局へ送信する手段と、前記基地局において前記測定結果を元に判定された通信中断理由を告知する告知情報を受信して表示する表示手段とを含むことを特徴とする。
【００１０】
本発明による基地局は、一の携帯通信端末と他の携帯通信端末との通信接続をなす基地局であって、前記携帯通信端末の各々からの電界強度情報を受信して記録する手段と、前記通信が突然に切断された時、前記電界強度情報を参照して前記通信の切断理由を判定する判定手段と、この判定結果を前記携帯通信端末へ告知する告知手段とを含むことを特徴とする。
【発明の効果】
【００１１】
本発明によれば、通信中に、端末の周囲の電界強度を測定して、その測定結果を基地局へ報告し、基地局は通信切断時に端末から報告を受けている電界強度に基づいて通信切断を判定して端末へ報告するようにしているので、特別のサーバなどの装置を用いることなく、極めて簡単に、突然の通信切断の理由をユーザが知ることができるという効果がある。
【発明を実施するための最良の形態】
【００１２】
以下に、図面を用いて本発明の実施の形態について説明する。図１は本発明の実施の形態が適用されるシステム概略図である。図１においては、基地局１のサービスエリア内に存在する端末２と３とが、基地局１を介して通信中である状態を示している。この場合、端末２は基地局１の近傍に存在しており、端末２の周囲の電界強度は良好（大）であるとする。一方、端末３は基地局１の遠方にいて、端末３の周囲の電界強度は、端末２のそれよりも悪い状況（小）であるものとする。
【００１３】
図２は本発明の実施の形態による端末及び基地局の概略機能ブロック図である。図２（Ａ）は端末２の概略ブロック図であり、図２（Ｂ）は基地局１の概略ブロック図である。なお、端末３の概略ブロック図は図２（Ａ）の端末２のそれと同一であるものとする。
【００１４】
図２（Ａ）を参照すると、端末２は、他の端末３との通信中に、周辺の電界強度を測定する電界強度測定部２０１と、この電界強度の測定結果を基地局１へ送信する送信部２０２とを備えている。また、図２（Ｂ）を参照すると、基地局１は、端末２及び３からの電界強度測定結果を受けて記録し、端末２及び３の通信が断となったときに、この記録内容を参照して通信断の理由を判定する通信断判定部１０１と、この判定理由を端末へ告知する告知部１０２とを備えている。
【００１５】
かかる構成において、端末２と３とが基地局１を介して接続されて通信中であるとき、端末２，３は、随時または定期的に、周辺の電界強度を、電界強度測定部２０１により測定しており、その測定結果である電界強度情報を、送信部２０２を介して基地局１へ送信する。基地局１は、当該通信が突如切断されたとすると、通信断判定部１０１において、それまでの電界強度情報から、電界強度の悪化が原因で通信が切断されたか否かを判断し、この判断結果を、告知部１０２を介して、端末２へ送信することになる。こうすることにより、端末２のユーザは、突然の通信断の理由を知ることができる。
【００１６】
以下に、本発明の実施の形態の詳細について、図３を参照しつつ説明する。図３（Ａ）は端末２の詳細を示す機能ブロック図であり、図３（Ｂ）は基地局１の詳細を示す機能ブロック図である。なお、端末３の詳細機能ブロックも図２（Ａ）と同一であるものとする。
【００１７】
図３（Ａ）を参照すると、本発明の実施の形態による端末２は、無線通信部２１と、電界強度測定部２２と、ＳＭＳ（Short Message Service ）制御部２３と、バッテリーアラーム発生部２４と、表示部２５と、制御部２６と、メモリ２７とを含んで構成されている。無線通信部２１は、基地局１との無線通信をなすものである。電界強度測定部２２は、周辺の電界強度を測定するものである。ＳＭＳ制御部２３は、ショートメッセージサービス機能を有するものである。バッテリーアラーム発生部２４は、図示せぬバッテリーの残量低下を検出してバッテリーアラームを発生するものである。
【００１８】
表示部２５は、各種の情報をユーザに対して可視表示するものである。制御部２６は、これら各部２１〜２５の動作制御を行うものであり、メモリ２７は、制御部２６の動作制御のためのプログラム手順を格納すると共に、その作業用メモリとしても動作するものである。
【００１９】
図３（Ｂ）を参照すると、基地局１は、端末２，３との無線通信をなすものである。通信断判定部１２は、端末２と３との通信中の通信断に応答して、その通信断が発生した原因を判定するものである。ＳＭＳ制御部１３は、ショートメッセージサービス機能を有するものである。制御部１４は、これら各部１１〜１３の動作制御を行うものであり、メモリ１５は、制御部１４の動作制御のためのプログラム手順を格納すると共に、その作業用メモリとしても動作するものである。
【００２０】
図４及び図５を参照して本発明の実施の形態の動作について説明する。図４は本実施の形態の動作シーケンス図であり、図５は本実施の形態のフローチャートである。本実施の形態では、図１に示した如く、端末２と３とが基地局１を介して接続されて通信中であり、端末２の周囲の電界強度は良好であり、大であるが、端末３の電界強度は悪く、小であるものとする。
【００２１】
端末２と３との間では通信が確立されており通信中であるとする（図４のＳ１０１、図５のＳ１）。この通信中において、端末２，３は、随時または定期的に、周辺の電界強度を、電界強度測定部２２により測定しており、その測定結果である電界強度情報を、基地局１へ送信するようになっている（図４のＳ１０２，Ｓ１０３、図５のＳ２）。
【００２２】
この場合において、端末が測定する電界強度としては、基地局からの、端末との通信を行う信号の電界強度であり、例えば、基地局と端末との間のＤＰＣＣＨ（Dedicated Physical Control Channel）やＤＰＤＣＨ（Dedicated Physical Data Channel ）などの電波の電界強度が考えられる。
【００２３】
基地局１は、端末２，３からの各電界強度情報を、制御部２６によってメモリ２７へログとして格納する（図４のＳ１０４）。このとき、基地局は、端末２からの電界強度情報を端末３へ、また端末３からの電界強度情報を端末２へ、それぞれ送信するようにしても良い。こうすることにより、基地局１から他端末の電界強度情報を受信した各端末は、表示部２５に他端末の電界強度情報を表示することによって、通信中のユーザは、通信相手方の周辺の電界強度状況を知ることができることになる。
【００２４】
この状態において、端末３の通信が突如切断されたとする（図４のＳ１０５、図５のＳ４）。この場合、基地局１の通信断判定部１２は、それまで端末３から受信していた電界強度情報から、電界強度の悪化が原因で通信が切断されたか否かを判断する（図４のＳ１０６、図５のＳ４）。このときの判断材料となるのは、電界強度のログであり、低電界のログ後に通信が切断されたのであれば、この場合の通信の切断は、電界強度の悪化に起因するものと判断されることになる（図５のＳ４でＹｅｓ）。
【００２５】
その後、基地局１は、端末２に対して、端末３の通信切断理由が電界強度の悪化によるものである旨を告知するための告知情報を、ＳＭＳ制御部１３により、ＳＭＳ送信をなす（図４のＳ１０７、図５のＳ５）。このＳＭＳを受信した端末２は、表示部２５により、電界強度の悪化による通信断が生じた旨の情報を表示するので、ユーザは突然の通信の切断理由を知ることができるのである（図４のＳ１０８、図５のＳ６）。
【００２６】
基地局１の通信断判定部１２が、図５のステップＳ４において、Ｎｏと判断（切断理由は電界強度の悪化ではないと判断）すると、次に、バッテリー残量低下によるものか否かの判定を行う（図５のＳ７）。この場合、端末は、バッテリー残量がある値よりも低下したとき、電源が自動的にオフとなる直前に、バッテリーアラーム発生部２４において、バッテリーアラームを発生して、これを基地局１へ送信するようにしておく。
【００２７】
従って、基地局１の通信断判定部１２は、バッテリーアラームを端末３から受信していれば、通信切断理由はバッテリー残量低下であると判断し（図５のＳ７でＹｅｓ）、ＳＭＳ制御部１３から、その旨の情報（バッテリー残量低下による切断を告知する告知情報）を、端末２へ送信することになる（図５のＳ８）。
【００２８】
なお、切断理由がバッテリー残量低下によるものと判断されなかったときには（図５のＳ７でＮｏ）、電界強度低下及びバッテリー残量低下以外の他の要因で、通信切断がなされた旨の告知情報が、端末２へＳＭＳ送信される（図５のステップＳ９）。従って、端末２のユーザは、端末３との通信の突然の切断理由を知ることができることになるのである。
【００２９】
上述の実施の形態においては、一般的な端末（携帯通信端末）同士の通信を想定しているが、一方の端末の通信相手がインターネットコンテンツ提供サーバなどの端末と通信を行うことができる端末であれば、その形態は問うものではない。また、端末の通信切断理由が電界強度の悪化やバッテリー残量低下以外であった場合に、その具体的切断理由を、ＳＭＳにて送信するような場合も、本発明の思想に含まれるものである。
【図面の簡単な説明】
【００３０】
【図１】本発明の実施の形態が適用されるシステム概略図である。
【図２】（Ａ）は本発明の実施の形態による端末の概略ブロック図であり、（Ｂ）は同じく基地局の概略ブロック図である。
【図３】（Ａ）は本発明の実施の形態による端末の詳細ブロック図であり、（Ｂ）は同じく基地局の詳細ブロック図である。
【図４】本発明の実施の形態の動作を示すシーケンス図である。
【図５】本発明の実施の形態の動作を示すフローチャートである。
【符号の説明】
【００３１】
１  基地局
２，３  端末
１１，２１  無線通信部
１２，１０１  通信断判定部
１３，２３  ＳＭＳ制御部
１４，２６  制御部
１５，２７  メモリ
２２，２０１  電界強度測定部
２４  バッテリーアラーム発生部
２５  表示部
１０２  告知部
２０２  送信部
【図１】
2009118200.tif 000003
【図２】
2009118200.tif 000004
【図３】
2009118200.tif 000005
【図４】
2009118200.tif 000006
【図５】
2009118200.tif 000007